(57)【要約】【課題】流体管の切断時に生じた余分な切り屑が流体管内に混入することがなく、容易且つ確実に外部に取り出すことができる不断水切断装置における切り屑回収装置を提供すること。【解決手段】密封ケーシング４の上部開口を介して外部操作できる回転操作軸２８と公転操作管３０を有し、回転操作軸２８の下端に設けたマグネットロータ５２が回転操作軸２８により自転し、公転操作管３０の回転操作時には、このマグネットロータ５２は、このマグネットロータに磁着した切り屑を掻き取るスクレーパと、掻き取られた切り屑を収納する回収ボックス４６と共に公転操作管３０の回転中心軸周りに公転する。【選択図】  図４
2004283999.tif 000002
【特許請求の範囲】
【請求項１】
流体管を密封状態で切断する不断水切断装置における切り屑回収装置であって、前記切り屑回収装置は、切断部位に装着した密封ケーシングの開口を介して外部より挿脱可能であって、外部操作できる上下方向に延びる第１操作体と第２操作体を有し、前記第１操作体の下方先端に設けたマグネットロータは、該第１操作体の回転により自転し、該第２操作体の回転操作時には、該マグネットロータは、このマグネットロータに磁着した切り屑を掻き取るスクレーパと、掻き取られた切り屑を収納する回収ボックスと共に第２操作体の回転中心軸周りに公転することを特徴とする不断水切断装置における切り屑回収装置。
【請求項２】
前記密封ケーシングの底部は流体管の下方に位置して切り屑を貯留できる収納空間を有している請求項１に記載の不断水切断装置における切り屑回収装置。
【請求項３】
前記マグネットロータの自転軸は第１操作体の回転中心軸に対して直交している請求項１または２に記載の不断水切断装置における切り屑回収装置。
【請求項４】
前記第２操作体の回転中心軸は第１操作体の回転中心軸と同一位置にある請求項１ないし３の何れかに記載の不断水切断装置における切り屑回収装置。
【発明の詳細な説明】
【０００１】
【発明の属する技術分野】
本発明は、流体管を密封状態で切断する不断水切断装置における切り屑回収装置に関する。
【０００２】
【従来の技術】
従来の流体管を密封状態で切断する不断水切断装置における切り屑回収方法として、例えば特許文献１に記載の切り屑回収装置が用いられていた。図９は前記特許文献１に開示されている切り屑回収装置の断面図である。
【０００３】
図９に示すように、流体管０１の切断部位に、密封状態で流体管の不断水切断時に用いた密封ケーシング（割りＴ字管）０２が装着され、作業仕切弁０３の開閉により、吸出し管０４を密封ケーシング０２内に挿入し、密封ケーシング０２の底部に貯留している切断時に生じた切り屑Ｚを外部の回収箱０５に吸い出すようにしたものである。
【０００４】
【特許文献１】
実用新案登録第２５３５８９６号公報（段落００１９−００２１、第図１）
【０００５】
【発明が解決しようとする課題】
しかしながら、このような従来の切り屑回収方法はある程度の切り屑は排出できるが、吸出し管０４の先端吸い込み口を隅々までくまなく移動させて吸い出さなければならず、その操作に熟練を要するばかりでなく、吸出し管０４の移動時に密封ケーシング０２の底部に貯留されている切り屑Ｚをかき回すことになり、切り屑が舞い上がってその一部が主流の流れにのって、本管内を下流側に向かって流れてしまう恐れがあった。
【０００６】
本発明は、上記課題に鑑みてなされたもので、流体管の切断時に生じた余分な切り屑が流体管内に混入することがなく、容易且つ確実に外部に取り出すことができる不断水切断装置における切り屑回収装置を提供することを目的としている。
【０００７】
【課題を解決するための手段】
上記課題を達成するために、本発明の不断水切断装置における切り屑回収装置は、流体管を密封状態で切断する不断水切断装置における切り屑回収装置であって、前記切り屑回収装置は、切断部位に装着した密封ケーシングの開口を介して外部より挿脱可能であって、外部操作できる上下方向に延びる第１操作体と第２操作体を有し、前記第１操作体の下方先端に設けたマグネットロータは、該第１操作体の回転により自転し、該第２操作体の回転操作時には、該マグネットロータは、このマグネットロータに磁着した切り屑を掻き取るスクレーパと、掻き取られた切り屑を収納する回収ボックスと共に第２操作体の回転中心軸周りに公転することを特徴としている。
この特徴によると、マグネットロータが公転することにより切り屑を効率よく集めて磁着することができ、マグネットロータが自転することにより切り屑をスクレーパで掻き取って回収ボックスに収納させることができる。
【０００８】
本発明の不断水切断装置における切り屑回収装置は、前記密封ケーシングの底部は流体管の下方に位置して切り屑を貯留できる収納空間を有していることが好ましい。
このようにすれば、本管の流れに影響されずに、切り屑を密封ケーシングの底部に貯留することができる。
【０００９】
本発明の不断水切断装置における切り屑回収装置は、前記マグネットロータの自転軸は第１操作体の回転中心軸に対して直交していることが好ましい。
このようにすれば、マグネットロータを第１操作体から離れた位置に設けることができ、スクレーパや回収ボックスが取付けやすい。
【００１０】
本発明の不断水切断装置における切り屑回収装置は、前記第２操作体の回転中心軸は第１操作体の回転中心軸と同一位置にあることが好ましい。
このようにすれば、第１及び第２操作体を同じ回転中心軸上に配設できるから二重管の如く配置して、両操作体をコンパクトな構成とすることが可能である。
【００１１】
【発明の実施の形態】
以下、本発明の実施形態を図面に基づいて説明する。
【００１２】
図１は流体管に切断工具を組付けた切断前の不断水切断装置の待機状態を示す側面図、図２は不断水切断装置による切断時に底部に堆積した切り屑を切り屑回収装置により回収する状態を示す断面図、図３は切り屑回収装置を上昇させて回収した切り屑を外部に取出す状態を示す断面図、図４はマグネットロータを自転ないし公転駆動する駆動機構を示す図２のＡ部拡大断面図、図５は図４のＣ−Ｃ断面図、図６は図４のＤ−Ｄ断面図、図７は図２のＢ部拡大断面図であり、図８は図７のＥ―Ｅ断面図である。
【００１３】
本発明の切り屑回収装置を説明する前に、不断水切断装置の切断工具による既設流体管の切断時に生成される切り屑を回収するための切り屑回収装置に付き図１を参照して説明する。
【００１４】
図１において、１は、地盤２を掘削して所定長さに亘り露出させた切断対象として、例えばダクタイル鋳鉄管や鋼管からなる水道管等の既設流体管であって、この水道管１は、不断水状態で切断できるように密封ケーシング４により囲まれており、密封ケーシング４上部の仕切り弁１２を介してその上昇位置にセットされている不断水切断装置のホールソー等から成る切断工具３を下降させることで切断されるようになっている。
【００１５】
切り屑捕獲装置５は、操作パイプ６から成る操作部と網部７で構成され、水道管１の切断部位近傍における上下流の２箇所Ｐ１，Ｐ２に配置されている。
【００１６】
この切り屑回収装置５を２箇所Ｐ１，Ｐ２に設ける理由は、水の需要箇所が変動して水流の向きが正・逆に変化しても、どちらかの切り屑捕獲装置５、５でかならず切り屑を捕獲するためである。
【００１７】
水道管１が切断前の状態では、網部７は操作パイプ６により仕切弁８の上部の切り屑回収ハウジング９内に配設されており、水道管１の切断時には、切断部位上下流の２箇所Ｐ１，Ｐ２に配置した切り屑捕獲装置５の網部７をそれぞれ捕獲位置にセットし、切断工具３を下降させることにより流体管１が不断水状態で切断され、このとき生成されて流水中に浮遊する切り屑は図示しない柔軟性ネットにより捕獲される。
【００１８】
水道管１の切断後は、切断工具３を上昇位置位まで上昇させて密封ケーシング４上部に設けられた仕切り弁１２を閉止し、この仕切り弁１２上の切断工具３を取外し、密封ケーシング４の底部に堆積している切り屑を回収するために、本発明の切り屑回収装置が仕切り弁１２の上部に取付けられる。
【００１９】
次ぎに、本発明の切り屑回収装置に付き説明する。
【００２０】
この切り屑回収装置は、切り屑捕獲装置５、５では捕獲し得えなかった密封ケーシング４の底部に形成される収納空間に堆積、貯留した切り屑を回収するもので、図２および図３に符号１０で示されている。
【００２１】
図２、図３に示すように、密封ケーシング４の上部に取付けられた仕切り弁１２の上部には、フランジ１４ａ，１５ａを介して２つの延長管１４，１５が取付けられており、延長管１５上方のフランジ１５ｂには補助管１８のフランジ１６が取付けられており、この補助管１８の上端には外部操作により回転操作する回転操作部２５、ないし切り屑回収装置１０の上下端を位置決めする位置決め部材２０が設けられている。
【００２２】
この切り屑回収装置１０は、回転操作部２５と位置決め部２０とにより、密封ケーシング４底部の収納空間に堆積、貯留した切り屑を回収でき、その後外部に取出すために、図２示した下降端より図３に示した上昇端に移動させることができる。
【００２３】
詳しくは、切り屑回収装置１０は、図４〜図６に示すように、上下方向に延びる第１操作体となる回転操作軸２８と、この回転操作軸２８を挿通した第２操作体となる公転操作管３０と、公転操作管３０の下端に固設された角型ハウジング３６の側面に取付けられたブラケット４８下端のボス４８ａに回転可能に挿通支持された傘歯車５５と、この傘歯車５５と共に回転操作軸２８の回転軸に対して直交する回転可能に支持された自転軸５０に装着された円板状の磁性体から成るマグネットロータ５２と、回転操作軸２８の下方にあって傘歯車５５に噛合する傘歯車５４と、角型ハウジング３６のブラケット４８が取付けられる側面と直交する側面に取付けられた切り屑回収ボックス４６と、マグネットロータ５２の外周に先端が回転方向に対向するように摺接し、マグネットロータ５２の外周に磁着した切り屑を掻き取って開口４６ａを介して切り屑回収ボックス４６内部に収容するスクレーパ５６とから構成されている。
【００２４】
回転操作軸２８は公転操作管３０に内装された中空管３２内部に挿嵌支持されていて、尖端となる下端の円錐状センター２８ａが密封ケーシング４底面内部のボス４ａに回転自在に支持されている。
【００２５】
従って、回転操作軸２８を回転させると、一対の傘歯車５４と傘歯車５５を介してマグネットロータ５２が自転軸５０の回転中心軸回りに自転し、更に公転操作管３０を回転させると、マグネットロータ５２は固定された傘歯車５４周囲の歯面上を自転しながら公転操作管３０の回転中心軸回りを公転するようになっている。
【００２６】
次に、回転操作部２５ないし位置決め部２０に付き図７、図８を参照して説明する。
【００２７】
図７は、切り屑回収装置１０が下降端に位置している状態を示しており、この様態において、公転操作管３０の上部に形成される段付き部４０が補助管１８の上端に設けられたフランジ１８ａと接合される位置決め部として構成されたフランジ２０の内周縁下面に当接して公転操作管３０の上方移動を規制しているが、公転操作管３０の回転はフリーである。
【００２８】
段付き部４０下方の外周はフランジ１８ａの挿通孔内周に設けたシール部材４４により液密にシールされ、段付き部４０上方の小径部外周は、フランジ２０の挿通孔内周に設けたシール部材４２により液密にシールされている。
【００２９】
フランジ２０の上面には保持体３７が固設されており、この保持体３７には、段付き部４０上方の小径部外周が挿通する挿通孔に連通する縦割溝３７ａが上方から下方近傍まで形成され、この縦割り溝３７ａを挟んで保持体本体側から一対の突出片３８が設けられている。
【００３０】
保持体３７の下方近傍まで形成され縦割溝３７ａの下方終端部より保持体３７の周方向に横割溝３７ｂが形成され、この横割溝３７ｂより上方の保持体３７が周方向に伸縮できるように構成されている。そして突出片３８に取付けたクランプハンドル２１の操作により縦割溝３７ａが内側に近接することで段付き部４０の上方の小径部外周が締付けられるようになっている。
【００３１】
クランプハンドル２１の移動操作による縦割溝３７ａの近接離反はネジ作用であってもカム作用であっても良い。そして、縦割溝３７ａが近接することで公転操作管３０の段付き部４０の上方の小径部外周が締付けられ、離反することで公転操作管３０の回転がフリーとなるように構成されている。
【００３２】
保持体３７の上端にはキャップ３９が装着されおり、キャップ３９を挿通した段付き部４０先端小径部には公転用のハンドル２２が固設され、その段付き部４０の上端には公転用のハンドル２２を保持するスリーブ３５が取着されており、スリーブ３５内部を挿通して上面より突出した回転操作軸２８の上端には、自転用のクランクハンドル２４が取付けられている。
【００３３】
次に、上記のように構成された切り屑回収装置の組立て手順ないしその作用に付き説明する。
【００３４】
先ず、図２に示すように、不断水状態で切断されて左右に分離された水道管１の流入側水道管１ａないし流出側水道管１ｂの端部は、それぞれ密封ケーシング４の内部に液密に収容されており、仕切り弁１２を閉止した状態で不断水切断装置の切断工具３を取外したのち仕切り弁１２の上面に２つの延長管１４，１５が取付けられる。
【００３５】
次に、仕切り弁１２が開放され、回転操作軸２８と公転操作管３０の下端にマグネットロータ５２、切り屑回収ボックス４６、スクレーパ５６等を取付けた切り屑回収装置１０が、回転操作軸２８下端の円錐状センター２８ａが密封ケーシング４底面内部のボス４ａに支持されるまで下方に移動する。
【００３６】
この状態で、公転操作管３０の段付き部４０は、フランジ２０の内周縁下面に位置決めされ、公転操作管３０の上下方向への移動が阻止される。そして、クランプハンドル２１により、公転操作管３０の外周を締付けることで、公転操作管３０の回動も阻止される。
【００３７】
切り屑回収装置１０が下降端に位置決めされた状態で、クランクハンドル２４を回転操作することにより、回転操作軸２８、傘歯車５４、５５、自転軸５０を介してマグネットロータ５２が自転する。
【００３８】
次いで、クランプハンドル２１の解除操作により段付き部４０上方の小径部外周の締付を解除しハンドル２２を回転操作することで、マグネットロータ５２は公転操作管３０を介して切り屑回収ボックス４６と共に公転操作管３０の回転中心軸廻りに公転することができる。
【００３９】
マグネットロータ５２の公転と自転により、密封ケーシング４底部の収納空間に堆積、貯留した切り屑は、マグネットロータ５２の磁力により外周に磁着され、マグネットロータ５２の自転により磁着された切り屑はスクレーパ５６により掻き取られ、切り屑回収ボックス４６内部に収容される。
【００４０】
次に、切り屑回収装置１０を取出す際は、公転操作管３０の上方への抜け止め機能をしていたフランジ２０をフランジ１８ａから取外し、切り屑回収装置１０を仕切り弁１２の上部まで引上げた状態で仕切り弁１２を閉じる。そこで、フランジ１６を取外して切り屑回収装置１０を外部に取出し、切り屑回収ボックス４６の内部に収容されている切り屑が回収される。
【００４１】
従って、上記のように構成された切り屑回収装置１０によれば、マグネットロータ５２が公転することで、切り屑を効率よく集めて磁着することができ、マグネットロータ５２が自転することにより切り屑をスクレーパ５６で掻き取って切り屑回収ボックス４６に収納させることができる。
【００４２】
また、密封ケーシング４の底部には、水道管１の下方に位置して切り屑を貯留できる収納空間を有しているので、水道管１内の流水に影響されずに、切り屑を密封ケーシング４の底部に貯留することができる。
【００４３】
更に、このマグネットロータ５２の自転軸５０は、回転操作軸２８の軸心に対して直交しているので、マグネットロータ５２を回転操作軸２８から離れた位置に設けることができ、スクレーパ５６や切り屑回収ボックス４６が取付けやすい。
【００４４】
そして、マグネットロータ５２は、公転操作管３０の回転によりその回転中心軸回りを公転するようになっているので、１回公転すれば殆どの切り屑を磁着することができる。
【００４５】
そしてまた、公転操作管３０の回転中心軸は、回転操作軸２８の回転中心軸と同一位置に配設できるから、これら公転操作管３０及び回転操作軸２８を二重管にしてコンパクトに構成できる。
【００４６】
以上、本発明の実施形態を図面により説明してきたが、具体的な構成はこれら実施例に限られるものではなく、例えば、回転操作軸２８と公転操作管３０とを連動させて、回転操作軸２８だけを回転させるだけで公転操作管３０も回転するようにして、一つの操作体でマグネットロータ５２を自転しながら公転させることも可能である。
【００４７】
【発明の効果】
本発明によれば、次のような効果が得られる。
【００４８】
（ａ）請求項１に記載の発明によれば、マグネットロータが公転することにより切り屑を効率よく集めて磁着することができ、マグネットロータが自転することにより切り屑をスクレーパで掻き取って回収ボックスに収納させることができる。
【００４９】
（ｂ）請求項２に記載の発明によれば、本管の流れに影響されずに、切り屑を密封ケーシングの底部に貯留することができる。
【００５０】
（ｃ）請求項３に記載の発明によれば、マグネットロータを第１操作体から離れた位置に設けることができ、スクレーパや回収ボックスが取付けやすい。
【００５１】
（ｄ）請求項４に記載の発明によれば、第１及び第２操作体を同じ回転中心軸上に配設できるから二重管の如く配置して、両操作体をコンパクトな構成とすることが可能である。
【図面の簡単な説明】
【図１】本発明の一実施形態を示すもので、流体管に切断工具を組付けた切断前の不断水切断装置の待機状態を示す側面図である。
【図２】不断水切断装置による切断時に底部に堆積した切り屑を切り屑回収装置により回収する状態を示す断面図である。
【図３】切り屑回収装置を上昇させて回収した切り屑を外部に取出す状態を示す断面図である。
【図４】マグネットロータを自転ないし公転駆動する駆動機構を示す図２のＡ部拡大断面図である。
【図５】図４のＣ−Ｃ断面図である。
【図６】図４のＤ−Ｄ断面図である。
【図７】図２のＢ部拡大断面図である。
【図８】図７のＥ―Ｅ断面図である。
【図９】従来の切り屑回収装置の断面図である。
【符号の説明】
１                  水道管（流体管）
１ａ                流入側水道管
１ｂ                流出側水道管
２                  地盤
３                  切断工具
４                  密封ケーシング
４ａ                ボス
５                  切り屑捕獲装置
６                  操作パイプ
７                  網部
８                  仕切弁
９                  切り屑回収ハウジング
１０                切り屑回収装置
１２                仕切り弁
１４，１５          延長管
１４ａ，１５ａ      フランジ
１５ｂ              フランジ
１６                フランジ
１８                補助管
１８ａ              フランジ
２０                フランジ（位置決め部）
２１                クランプハンドル
２２                ハンドル
２４                クランクハンドル
２５                回転操作部
２８                回転操作軸（第１操作体）
２８ａ              円錐状センター
３０                公転操作管（第２操作体）
３２                中空管
３５                スリーブ
３６                角型ハウジング
３７                保持体
３７ａ              縦割溝
３７ｂ              横割溝
３８                突出片
３９                キャップ
４０                段付き部
４２、４４          シール部材
４６                切り屑回収ボックス
４６ａ              開口
４８                ブラケット
４８ａ              ボス
５０                自転軸
５２                マグネットロータ
５４，５５          傘歯車
５６                スクレーパ
【図１】
2004283999.tif 000003
【図２】
2004283999.tif 000004
【図３】
2004283999.tif 000005
【図４】
2004283999.tif 000006
【図５】
2004283999.tif 000007
【図６】
2004283999.tif 000008
【図７】
2004283999.tif 000009
【図８】
2004283999.tif 000010
【図９】
2004283999.tif 000011